(57)【要約】【課題】  著作権の問題を解決して、簡単な操作によって、かつ、プリント所望部分を選択肢を広くして書籍、雑誌などの部分印刷サービスを可能とする画像形成システム及び部分印刷方法を得る。【解決手段】  書籍に埋め込まれたＩＣチップから該ＩＣチップに記憶されたページあたりの課金情報などを読み取る手段と、前記ＩＣチップから読み取った情報及び／又は書籍をスキャンして得た情報をプリントする画像形成ユニットと、書籍をスキャンして得た情報及び／又は前記ＩＣチップから読み取ったページあたりの課金情報に基づいてユーザーがプリントすべき情報を選択する手段（１２１〜１２４）と、この選択手段にて選択された情報に基づいて課金要求（１１３）する課金手段と、課金要求にユーザーが応じたことを確認のうえ、選択された情報を画像形成ユニットにてプリントさせる制御手段とを備えた画像形成システム。【選択図】  図１０
2005072821.tif 000002
【特許請求の範囲】
【請求項１】
書籍に埋め込まれたＩＣチップから該ＩＣチップに記憶された情報を読み取る読取り手段と、
少なくとも書籍をスキャンして得た情報をプリントする画像形成ユニットと、
前記読取り手段にて読み取った情報に基づいて課金要求する課金手段と、
前記課金手段による課金要求にユーザーが応じたか否かを判断し、ユーザーが応じたと判断した場合に、前記読取り手段にて読み取った情報又は書籍をスキャンして得た情報を前記画像形成ユニットにてプリントさせる制御手段と、
を備えたことを特徴とする画像形成システム。
【請求項２】
さらに、前記読取り手段にて読み取った情報及び／又は書籍をスキャンして得た情報からプリントすべき情報をユーザーに選択させるための選択手段を備え、
前記制御手段は、前記課金手段による課金要求にユーザーが応じたと判断した場合に、前記選択手段によって選択された情報を前記画像形成ユニットにてプリントさせること、
を特徴とする請求項１に記載の画像形成システム。
【請求項３】
さらに、書籍の所望のページをスキャンして得た画像をサムネイル画像として表示する表示部を備えたことを特徴とする請求項１又は請求項２に記載の画像形成システム。
【請求項４】
前記ＩＣチップには、少なくとも書籍の各ページに掲載されている章、段落の情報が含まれていることを特徴とする請求項１又は請求項２に記載の画像形成システム。
【請求項５】
さらに、外部情報記憶装置にアクセスする手段を備え、前記プリントした情報を外部情報記憶装置に送信することを特徴とする請求項１、請求項２、請求項３又は請求項４に記載の画像形成システム。
【請求項６】
書籍に埋め込まれたＩＣチップから該ＩＣチップに記憶された情報を読み取り、
前記読み取った情報に基づいて課金要求し、
前記課金要求にユーザーが応じたことを確認のうえ、前記読み取った情報又は書籍をスキャンして得た情報を画像形成ユニットにてプリントすること、
を特徴とする部分印刷方法。
【請求項７】
前記読み取った情報及び／又は書籍をスキャンして得た情報からプリントすべき情報をユーザに選択させ、
ユーザーがプリントすべき情報として選択した情報に基づいて課金要求し、
前記課金要求にユーザーが応じたことを確認のうえ、選択された前記情報を画像形成ユニットにてプリントすること、
を特徴とする請求項６に記載の部分印刷方法。
【請求項８】
さらに、書籍の所望のページをスキャンして得た画像をサムネイル画像として表示し、ユーザーは該サムネイル画像を確認のうえプリントすべき情報を選択することを特徴とする請求項６又は請求項７に記載の部分印刷方法。
【請求項９】
前記ＩＣチップには、少なくとも書籍の各ページに掲載されている章、段落の情報が含まれており、ユーザーは章、段落の情報に基づいてプリントすべき情報を選択することを特徴とする請求項６又は請求項７に記載の部分印刷方法。
【発明の詳細な説明】
【技術分野】
【０００１】
本発明は、画像形成システム及び部分印刷方法、特に、書店やコンビニエンスストアなどで客が所望する書籍、雑誌などの一部を有償で印刷する画像形成システム及び部分印刷方法に関する。
【背景技術】
【０００２】
近年では、情報を提供するシステムが大きく進展しており、かつ、情報の記憶媒体としても小型で高容量のものが種々提供されている。特に、ＩＣチップは、低価格化が進み、情報量も大きくなり、書き換えが容易であるがセキュリティに強いという特性を有している。
【０００３】
そこで、特許文献１には、ＩＣチップから読み込んだ情報に基づいてサーバにアクセスし、そのサーバからダウンロードしたデータをプリントする情報提供システムが開示されている。
【０００４】
ところで、書店やコンビニエンスストアなどで客が雑誌などを手にとって見たときに、その雑誌に欲しい情報が含まれているとしても、必ずしもその雑誌を購入しない場合がある。その原因としては、所望の情報量と雑誌全体の価格との不釣り合いを挙げることができる。仮に、所望の情報をその部分のみの著作権料を含めた料金で入手できるのであれば、所望のページのみの部分印刷サービスを受けたい客は多く存在すると考えられる。
【０００５】
特許文献１に開示されている情報提供システムは簡易な方法ではあるが、店頭で手にとった雑誌などに掲載されている情報をその場でプリントするシステムまでは示唆していない。
【０００６】
一方、特許文献２には、書籍の各ページにバーコードやグリフを印刷しておき、これらから課金情報を読み取ると共に、該当するページを印刷する複写サービスの提供方法が開示されている。
【０００７】
この複写サービスの提供方法によると、店頭で手にとった書籍の所望のページをプリントすることができる。しかし、ページ単位での課金システムであるため、例えば、複数のページにまたがる章単位で情報を購入したい場合は煩雑な作業を必要とし、また、入手したい情報がページの一部に独立して掲載されていても、その一部のみを入手することは不可能である。
【特許文献１】特開２００２−３４２５１９号公報
【特許文献２】特開２００２−２０９０３９号公報
【発明の開示】
【発明が解決しようとする課題】
【０００８】
そこで、本発明の目的は、比較的情報量が多くて小型のＩＣチップを用いることにより、著作権の問題を解決して、簡単な操作によって、かつ、プリント所望部分の選択肢を広くして書籍、雑誌などの部分印刷サービスを可能とする画像形成システム及び部分印刷方法を提供することにある。
【課題を解決するための手段】
【０００９】
以上の目的を達成するため、本発明に係る画像形成システムは、書籍に埋め込まれたＩＣチップから該ＩＣチップに記憶された情報を読み取る読取り手段と、少なくとも書籍をスキャンして得た情報をプリントする画像形成ユニットと、前記読取り手段にて読み取った情報に基づいて課金要求する課金手段と、該課金手段による課金要求にユーザーが応じたか否かを判断し、ユーザーが応じたと判断した場合に、前記読取り手段にて読み取った情報又は書籍をスキャンして得た情報を前記画像形成ユニットにてプリントさせる制御手段と、を備えたことを特徴とする。
【００１０】
本発明に係る画像形成システムは、さらに、前記読取り手段にて読み取った情報及び／又は書籍をスキャンして得た情報からプリントすべき情報をユーザーに選択させるための選択手段を備えていてもよい。ここで、前記制御手段は、課金手段による課金要求にユーザーが応じたと判断した場合に、選択手段によって選択された情報を画像形成ユニットにてプリントさせる。
【００１１】
前記ＩＣチップは、一つの書籍について一つのＩＣチップが埋め込まれている場合（この場合は書籍の表紙や裏表紙など表面に埋め込まれる）、書籍の各ページに一つずつ埋め込まれる場合がある。
【００１２】
一つの書籍に一つのＩＣチップが埋め込まれている場合、そのＩＣチップにはその書籍の各ページごとの課金情報などが記憶されている。一方、書籍の各ページにＩＣチップが埋め込まれている場合、そのＩＣチップにはそのページに掲載されている章、段落、課金情報などが記憶されている。
【００１３】
本発明に係る部分印刷方法は、書籍に埋め込まれたＩＣチップから該ＩＣチップに記憶された情報を読み取り、読み取った情報に基づいて課金要求し、該課金要求にユーザーが応じたことを確認のうえ、前記読み取った情報又は書籍をスキャンして得た情報を画像形成ユニットにてプリントすること、を特徴とする。
【００１４】
本発明に係る部分印刷方法は、さらに、前記読み取った情報及び／又は書籍をスキャンして得た情報からプリントすべき情報をユーザーに選択させ、ユーザーがプリントすべき情報として選択した情報に基づいて課金要求し、この課金要求にユーザーが応じたことを確認のうえ、選択された前記情報を画像形成ユニットにてプリントさせるようにしてもよい。
【００１５】
本発明に係る画像形成システム及び部分印刷方法において、ユーザーは、ＩＣチップから読み取った情報及び／又は書籍をスキャンして得た情報からプリントすべき情報に対して課金要求がなされ、ユーザーがこの課金要求に応じることにより、所望の情報がプリントされる。ユーザーはページ単位で、あるいは章、段落単位で所望の情報をプリントすることができる。
【００１６】
また、ＩＣチップには、書籍に掲載されている記事の内容あるいは画像そのものが記憶されていてもよい。この場合は、ＩＣチップから読み取った書籍掲載内容をプリントアウトすることにより、画質の良好なプリントを得ることができる。
【００１７】
本発明に係る画像形成システムは、外部情報記憶装置にアクセスする手段を備えていてもよい。前記プリントした情報を出版社のサーバなどに送信することにより、出版社は各店舗で行われた部分印刷の情報を即時に入手できる。
【００１８】
なお、本発明において、書籍とは、単行本、雑誌、週刊誌、新聞、パンフレットなど、全ての可視情報掲載物を意味する。
【発明の効果】
【００１９】
本発明に係る画像形成システム及び部分印刷方法によれば、小型のＩＣチップを利用しているため書籍に容易に埋め込むことができる。しかも、ＩＣチップは記憶容量が大きいため、部分印刷に必要な書籍のほとんどの情報を記憶しておくことができる。ユーザーは、プリントすべき情報をページごとに、あるいは、章、段落ごとに選択するという簡単な操作によって所望の部分印刷物を入手することができる。
【００２０】
また、ユーザーが課金要求に応じることを条件に情報をプリントするのであるから、著作権を侵害するおそれはない。
【発明を実施するための最良の形態】
【００２１】
以下、本発明に係る画像形成システム及び部分印刷方法の実施形態について添付図面を参照して説明する。
【００２２】
（ＩＣチップとその埋め込み形態、図１及び図２参照）
本発明に係る画像形成システム及び部分印刷方法にあっては、図１に示すように、ＩＣチップ１０は書籍の表紙（裏表紙や背表紙であってもよい）に埋め込まれている。あるいは、図２に示すように、ＩＣチップ１０’は書籍の各ページに埋め込まれている。
【００２３】
このＩＣチップ１０，１０’は、記憶部とアンテナ部とからなり、記憶部にデータを保存し、アンテナ部でデータの送受信を行い、非接触でデータの読込み／書込みができる。図１に示すように、書籍の表紙に埋め込まれたＩＣチップ１０には、書籍名、著者名、出版社名、ページあたりのプリント金額、出版社のサーバアドレスなどが予め記憶されている。また、図２に示すように、書籍の各ページに埋め込まれたＩＣチップ１０’には、各ページごとのプリント金額、書籍名、著者名、出版社名、出版社のサーバアドレスなどが予め記憶されている。
【００２４】
（実施例１、図３〜図６参照）
ここで、実施例１について説明する。この実施例１は図１に示したように表紙にＩＣチップ１０が埋め込まれた書籍の情報をプリントする画像形成システムと部分印刷方法に関する。
【００２５】
まず、画像形成システム１００の概略構成を図３及び図４を参照して説明する。この画像形成システム１００は、画像読取り部１０１、画像出力部１０２、ＩＣチップ読取り部１０３、記憶部１０４、制御部１０５、通信Ｉ／Ｆ部１０６、課金部１０７及び表示部１０８にて構成されている。
【００２６】
画像読取り部１０１は、原稿載置ガラス上に置かれた原稿の画像を読み取るスキャナを備えている。画像出力部１０２は、画像データに基づいて画像をシート上にプリントするものであり、周知の電子写真プロセスを実行するための機構にて構成されている。
【００２７】
ＩＣチップ読取り部１０３は、図１に示すように書籍の表紙に埋め込まれた前記ＩＣチップ１０から非接触方式にてそれに記憶されている情報を読み取る。この読取り部１０３は、画像読取り部１０１のカバー部に取り付けられており、画像読取り部１０１にて書籍の画像をスキャンする際に、同時にＩＣチップ１０に記憶されている情報を読み取る。
【００２８】
記憶部１０４は、前記画像読取り部１０１にて原稿をスキャンすることにより読み取った画像データや前記ＩＣチップ読取り部１０３にて読み取った情報を一時的に保持する。制御部１０５は、画像形成システム１００の各構成部分を制御する、特に、ＩＣチップ１０から得た情報に基づいて課金すべき金額を算出する。
【００２９】
通信Ｉ／Ｆ部１０６は、他のネットワークデバイスと通信するためのインターフェースである。課金部１０７は、現金やプリペイドカードなどでユーザーから課金を受け取る部分である。
【００３０】
表示部１０８は、通常の複写機の表示部として構成されているが、本発明に係る部分印刷方法を実行する際には、図５に示すように、画像読取り部１０１が書籍の画像を読み取るごとにそのサムネイル画像１１１を表示すると共にそのページごとのプリント金額（符号１１２参照）を表示し、かつ、合計の課金金額（符号１１３参照）も表示する。
【００３１】
また、この表示部１０８はタッチパネルとしても構成されている。例えば、図５に示した例では、４枚のサムネイル画像１１１を表示することができ、５枚以降はページ送りがされていく。従って、前ページ、次ページの表示を選択するキー１１４，１１５及び終了キー１１６がタッチパネルとして設けられている。
【００３２】
ここで、画像形成システム１００にて書籍の部分印刷を行う場合の制御手順について図６を参照して説明する。ここでの制御は、制御部１０５のＣＰＵが予め格納されているプログラムに従って実行する。
【００３３】
まず、ユーザーは書籍を手にとって見て、プリントを希望するページを画像読取り部１０１上に載せ、スタートキー１２０（図５参照）を押すと、ＩＣチップ読取り部１０３がＩＣチップ１０に記憶されているデータを読み取る（ステップＳ２０１参照）。
【００３４】
次に、ＩＣチップ１０のデータの読込みが完了したか否かを判定する（ステップＳ２０２参照）。このとき、ＩＣチップ１０が正確にセットされていなかったり（書籍の載置位置不良などもある）、ＩＣチップ１０を有していない書籍を読み込ませようとした場合などで読込みに失敗したときは表示部１０８にエラー表示を行い（ステップＳ２０３参照）、再度ステップＳ２０１の実行を促す。エラー表示は、例えば、「原稿をきちんとセットしてください」、「この原稿はコピーできません」などである。
【００３５】
ＩＣチップ１０からデータの読込みが完了すると（ステップＳ２０２でＹＥＳ）、読み込んだデータからそのページの課金金額を抽出して記憶部１０４に記憶する（ステップＳ２０４参照）。また、ステップＳ２０４では、ページあたりの金額の合計をジョブ単位の課金金額として算出する。同時に、画像読取り部１０１にて読み取った画像データを記憶部１０４に記憶する（ステップＳ２０５参照）。
【００３６】
表示部１０８には、読み取ったページのサムネイル画像、書籍名、課金金額、さらにはジョブ単位の合計金額を「現在の価格」として表示する（ステップＳ２０６参照）。
【００３７】
以上の処理はユーザーが読込み終了キー１１６を押すまで（ステップＳ２０７でＹＥＳ）繰り返される。ユーザーが読込み完了を指示すると、表示部１０８において合計金額に基づいて課金要求を行う（ステップＳ２０８参照）。
【００３８】
ユーザーが課金部１０７で課金を済ませると（ステップＳ２０９でＹＥＳ）、画像出力部１０２から画像をプリントアウトする（ステップＳ２１０参照）。あるいは、このステップＳ２１０で通信Ｉ／Ｆ部１０６から画像データを他のデバイスに送信する。
【００３９】
課金が完了しない場合は（ステップＳ２０９でＮＯ）、表示部１０８にエラー表示を行い（ステップＳ２１１参照）、ジョブがキャンセルされなければ（ステップＳ２１２でＮＯ）、前記ステップＳ２０８へ移行して課金要求を再度行う。ジョブがキャンセルされると（ステップＳ２１２でＹＥＳ）、ジョブを破棄し（ステップＳ２１３参照）、この制御ルーチンを終了する。
【００４０】
（実施例２、図７〜図１３参照）
次に、実施例２について説明する。この実施例２は図２に示したように各ページにＩＣチップ１０’が埋め込まれた書籍の情報をプリントする画像形成システムと部分印刷方法に関する。
【００４１】
図７に示すように、画像形成システム１００’に関しては前記実施例１で示した画像形成システム１００と基本的には同じ構成からなる。異なるのは、ＩＣチップ１０’が各ページに埋め込まれているので、ＩＣチップ１０の読取り部が画像読取り部に設置されてＩＣチップ／画像読取り部１０１’として構成されている点である。他の構成部分は実施例１と同様であり、重複した説明は省略する。
【００４２】
各ページに掲載されている内容が図８に示すようなものである場合、各ページに埋め込まれているＩＣチップ１０’に記憶されている内容をリストアップすると以下のとおりである（図９参照）。
【００４３】
目次情報（９−１）
章の始まり、終わりの情報（９−２）
画像の課金情報（９−３）
第何章の何ページ目かの情報（９−４）
章、段落ごとの課金情報（９−５）
画像の位置情報（９−６）
章、段落の位置情報（９−７）
【００４４】
以上の情報を具体的なデータ形式（ここではＸＭＬ形式）を用いて以下に示す。図１１に示す第１０３頁のように、ＩＣチップ１０’内にタグに囲まれたデータがあるとき、制御部１０５はタグの＜目次＞を認識すると、＜章＞から“第１章”と、値段の３０円というデータを得る。この処理を＜／目次＞まで繰り返し、全ての目次情報（９−１）を得る。
【００４５】
次に、＜内容＞の＜ページ＞の１０３Ｐと＜章＞５．３章＜／章＞＜章の終わり＞１０３Ｐ＜／章の終わり＞から５．３章の終わりがこのページにあるというデータを得る。また、＜章＞５．４章＜／章＞＜章の始まり＞１０３Ｐ＜／章の始まり＞からこのページに５．４章の始まりがあるという情報を得る。このようにして、章の始まり、終わりの情報（９−２）を得る。
【００４６】
また、５．３章は１０２ページから始まっているので、１０３ページの５．３章は５．３章の２ページ目であることがわかり、第何章の何ページ目かの情報（９−４）を得る。画像の課金情報（９−３）及び画像の位置情報（９−６）は＜画像＞タグを制御部１０５が検出してその情報を得る。さらに、章、段落ごとの課金情報（９−５）及び章、段落の位置情報（９−７）は＜章＞タグを制御部１０５が検出したときに位置及び値段からその情報を得る。
【００４７】
なお、ＩＣチップ１０’の記憶内容のデータ形式はＸＭＬに限らず、テキストデータやバイナリデータであってもよい。
【００４８】
前記情報以外であっても、例えば、各ページに掲載されている画像自体の情報をＩＣチップ１０’に記憶しておき、この記憶画像を画像出力部１０２からハードコピーとして出力するようにすれば、各ページの画像をスキャンしてハードコピーとして出力する場合に比べて画像の歪みや画像劣化がなくなり、操作、処理も簡単になる。
【００４９】
ここで、画像形成システム１００’にて書籍の部分印刷を行う場合の制御手順について図１２及び図１３を参照して説明する。ここでの制御は、制御部１０５のＣＰＵが予め格納されているプログラムに従って実行する。
【００５０】
まず、ユーザーは書籍を手にとって見て、プリントを希望するページをＩＣチップ／画像読取り部１０１’上に載せ、スタートキー１２０（図５参照）を押すと、ＩＣチップ／画像読取り部１０１’がＩＣチップ１０’に記憶されているデータを読み取る（ステップＳ４０１参照）。
【００５１】
次に、図１３に示すステップＳ５０１へ移行し、読み取ったＩＣチップ１０’の情報、即ち、目次情報（９−１）、画像の課金情報（９−３）、章、段落ごとの課金情報（９−５）の各情報から図１０に示すように、目次、章ごとの価格、ＩＣチップ／画像読取り部１０１’上で現在開かれているページの章若しくは段落などの情報を表示する（ステップＳ５０１参照）。
【００５２】
ユーザーがプリントを希望するページ、段落、章、図の有無などを表示パネル１０８（図１０参照）上のタッチキー１２１〜１２４で選択すると、制御部１０５はその選択情報を記憶する（ステップＳ５０２参照）。そして、ＩＣチップ１０’に記憶されているデータ、即ち、章の始まり、終わりの情報（９−２）からユーザーが選択した章、段落がＩＣチップ／画像読取り部１０１’上で現在開かれているページに全て収まっているか否かを判定する（ステップＳ５０３参照）。
【００５３】
図８に示す“８章”のように収まっていれば（ステップＳ５０３でＹＥＳ）、そのページを読み込み（ステップＳ５０４参照）、ユーザーが選択していない余分な部分（次の章、図）をＩＣチップ１０’の情報、即ち、画像の位置情報（９−６）、章、段落の位置情報（９−７）に基づいて消去して記憶部１０４に記憶すると共に、ユーザーに要求すべき課金金額を算出する（ステップＳ５０５参照）。
【００５４】
一方、図８に示す“５．２章”のようにユーザーが選択した章、段落がＩＣチップ／画像読取り部１０１’上で現在開かれているページに収まっていなければ（ステップＳ５０３でＮＯ）、ＩＣチップ１０’に記憶されているデータ、即ち、第何章の何ページ目かの情報（９−４）とユーザーが選択した情報とを比較して、読み込むべきページであるか否かを判定する（ステップＳ５０６，Ｓ５０７参照）。
【００５５】
読み込むべき該当ページでなければ（ステップＳ５０７でＮＯ）、表示パネル１０８上にその旨を表示して前記ステップＳ５０６に戻る。読み込むべき該当ページであれば（ステップＳ５０７でＹＥＳ）、そのページを読み込み（ステップＳ５０８参照）、ユーザーが選択していない余分な部分をＩＣチップ１０’の情報、即ち、画像の位置情報（９−６）、章、段落の位置情報（９−７）に基づいて消去して記憶部１０４に記憶すると共に、ユーザーに要求すべき課金金額を算出する（ステップＳ５０９参照）。
【００５６】
次に、ＩＣチップ１０’の情報、即ち、章の始まり、終わりの情報（９−２）からユーザーが選択した章、段落が終了したか否かを判定し（ステップＳ５１０参照）、終了していなければ前記ステップＳ５０６へ戻り、終了していれば図１２に示すステップＳ４０２に移行する。
【００５７】
ステップＳ４０２では、ＩＣチップ１０’に記憶されている情報から、読み込んだページの課金金額を抽出して記憶部１０４に記憶する。以上の処理はユーザーが読込み終了キー１１６を押すまで（ステップＳ４０３でＹＥＳ）繰り返される。ユーザーが読込み完了を指示すると、読み込んだＩＣチップ１０’の情報と読み込んだ画像のページ数からジョブ単位での課金金額を算出し（ステップＳ４０４参照）、表示部１０８において合計金額に基づいて課金要求を行う（ステップＳ４０５参照）。
【００５８】
ユーザーが課金部１０７で課金を済ませると（ステップＳ４０６でＹＥＳ）、画像出力部１０２から画像をプリントアウトする（ステップＳ４０７参照）。あるいは、このステップＳ４０７で通信Ｉ／Ｆ部１０６から画像データを他のデバイスに送信する。
【００５９】
課金が完了しない場合は（ステップＳ４０６でＮＯ）、表示部１０８にエラー表示を行い（ステップＳ４０８参照）、ジョブがキャンセルされなければ（ステップＳ４０９でＮＯ）、前記ステップＳ４０６へ移行して課金されたか否かを再度判定する。ジョブがキャンセルされると（ステップＳ４０９でＹＥＳ）、ジョブを破棄し（ステップＳ４１０参照）、この制御ルーチンを終了する。
【００６０】
（実施例３、図１４及び図１５参照）
本実施例３は、前記ＩＣチップ１０，１０’に当該書籍の出版社のサーバ５０１（図１４参照）のアドレスを記憶させておくことにより、ユーザーが部分印刷して購入したページ番号を集計し、ユーザーに人気の項目を出版社がリアルタイムで知ることができるようにしたシステムである。このような処理は部分印刷の全ての処理が終了してから実行すれば、部分印刷の処理速度に影響することはない。
【００６１】
出版社のサーバ５０１においては、図１４に示すように、書店やコンビニエンスストアに設置されている前記画像形成システム１００，１００’から送信されてくる部分印刷のデータ５０４をリスト５０３に示すように記憶、集計する。送信手段はデータベースにアクセスするプロトコルやメール形式で行われる。
【００６２】
次に、実施例３で実行される送信処理の制御手順について図１５を参照して説明する。ここでの処理は図６や図１２及び図１３での部分印刷処理が終了した後に実行される。即ち、画像形成システム１００，１００’の制御部１０５は、読み込んだＩＣチップ１０，１０’にサーバのアドレス情報があるか否かを判定する（ステップＳ６０１参照）。アドレス情報があれば（ステップＳ６０１でＹＥＳ）、出版社のサーバ５０１にアクセスする（ステップＳ６０２参照）。セキュリティのために、ＩＣチップ１０，１０’にアカウント、パスワードなどを記憶しておいて、それに基づいてアクセスしてもよい。アドレス情報がなければ（ステップＳ６０１でＮＯ）この処理を終了する。
【００６３】
サーバ５０１にアクセスして返信があれば（ステップＳ６０３でＹＥＳ）、データ５０４の情報をサーバ５０１に送信する（ステップＳ６０４参照）。この送信はサーバ５０１での情報の未受信がなくなるまで行われる（ステップＳ６０５参照）。
【００６４】
一方、サーバ５０１からの返信がない場合（ステップＳ６０３でＮＯ）、タイムアウトするまでサーバ５０１へのアクセスを繰り返す（ステップＳ６０６参照）。
【００６５】
（他の実施例）
なお、本発明に係る画像形成システム及び部分印刷方法は前記実施例に限定するものではなく、その要旨の範囲内で種々に変更することができる。
【００６６】
特に、画像形成システムの構成の細部、ＩＣチップの記憶されている情報の細部などは任意である。
【図面の簡単な説明】
【００６７】
【図１】実施例１で用いられる書籍を示す斜視図である。
【図２】実施例２で用いられる書籍を示す斜視図である。
【図３】実施例１の画像形成システムを示す正面図である。
【図４】実施例１の画像形成システムを示すブロック図である。
【図５】実施例１において表示部の表示例を示す説明図である。
【図６】実施例１における制御手順を示すフローチャート図である。
【図７】実施例２の画像形成システムを示すブロック図である。
【図８】書籍に掲載されている情報を示す説明図である。
【図９】実施例２においてＩＣチップに記憶されている１００，１０１ページの内容を示す説明図である。
【図１０】実施例２における表示部の表示例を示す説明図である。
【図１１】実施例２においてＩＣチップに記憶されている１０２，１０３ページの内容を示す説明図である。
【図１２】実施例２における制御手順を示すフローチャート図である。
【図１３】実施例２における制御手順を示すフローチャート図（図１２の続き）である。
【図１４】実施例３におけるシステム構成及び送信リストを示す説明図である。
【図１５】実施例３における制御手順を示すフローチャート図である。
【符号の説明】
【００６８】
１０，１０’…ＩＣチップ
１００，１００’…画像形成システム
１０１…画像読取り部
１０１’…ＩＣチップ／画像読取り部
１０２…画像出力部
１０３…ＩＣチップ読取り部
１０５…制御部
１０７…課金部
１０８…表示部
５０１…出版社のサーバ
【図１】
2005072821.tif 000003
【図２】
2005072821.tif 000004
【図３】
2005072821.tif 000005
【図４】
2005072821.tif 000006
【図５】
2005072821.tif 000007
【図６】
2005072821.tif 000008
【図７】
2005072821.tif 000009
【図８】
2005072821.tif 000010
【図９】
2005072821.tif 000011
【図１０】
2005072821.tif 000012
【図１１】
2005072821.tif 000013
【図１２】
2005072821.tif 000014
【図１３】
2005072821.tif 000015
【図１４】
2005072821.tif 000016
【図１５】
2005072821.tif 000017